(57)【要約】【課題】２つの加熱手段の状態を一括制御する手段を別途設けることなく、１つのロック状態切替手段で２つの制御手段のロック状態を食い違うことなく設定・解除すること。【解決手段】制御手段２ｉ・３ｉは、ロック解除状態の場合のみ入力手段２ｅ・３ｅより入力する信号に基づき加熱手段２ｂ・３ｂの出力を変更し、加熱手段２ｉまたは３ｉがオフで、かつ加熱手段３ｉまたは２ｉが通電中であることを示す信号を受信しない場合に、ロック状態切替手段４より入力する信号に基づきロック状態を設定・解除して、加熱手段２ｂおよび３ｂの状態を一括制御する手段を別途設けることなく、１つのロック状態切替手段４によって制御手段２ｉ・３ｉのロック状態を食い違うことなく設定・解除することができる。【選択図】図１
2008186705.tif 000002
【特許請求の範囲】
【請求項１】
１つのロック状態切替手段と、加熱手段と入力手段と前記加熱手段の状態を制御する制御手段との組み合わせ２組とを備え、２つの前記制御手段の間で互いの状態を送受信する構成において、各々の前記制御手段は、ロック状態とロック解除状態とを有して前記ロック状態切替手段より入力する信号に基づき交互に状態を切り替え、前記ロック解除状態の場合のみ自組の前記入力手段より入力する信号に基づき前記自組の前記加熱手段の出力を変更し、前記自組の前記加熱手段がオフでかつ他組の前記加熱手段が通電中であることを示す信号を前記他組の制御手段より受信しない場合に、前記ロック状態切替手段より入力する信号に基づき前記ロック解除状態を前記ロック状態に切り替えることを可能とした加熱調理器。
【請求項２】
各々の制御手段は、互いの状態の送受信が正常に行なわれている場合には、一方の制御手段が、ロック状態切替手段より入力する信号に基づきロック状態とロック解除状態とを交互に切り替え、他方の制御手段は、前記一方の制御手段が切り替えたロック状態またはロック解除状態を示す信号を受信し採用するようにした請求項１に記載の加熱調理器。
【請求項３】
他方の制御手段は、自組の加熱手段を通電中に、一方の制御手段よりロック状態を示す信号を受信すると、前記自組の加熱手段をオフしてロック解除状態からロック状態に移行するようにした請求項２に記載の加熱調理器。
【請求項４】
ロック状態であることを表示する１つのロック状態表示手段を備え、各々の制御手段は、ロック状態またはロック解除状態を示す信号を前記ロック状態表示手段へ出力し、前記ロック状態表示手段は、２つの前記制御手段のうち少なくとも１つよりロック状態を示す信号を入力するとロック状態であることを示す表示を行うようにした請求項１〜３のいずれか１項に記載の加熱調理器。
【請求項５】
各々の制御手段は、互いの状態の送受信が正常に行なわれている場合には、一方の前記制御手段が、ロック状態またはロック解除状態を示す信号をロック状態表示手段へ出力し、他方の前記制御手段は、ロック状態またはロック解除状態である場合にロック解除状態を示す信号のみ前記ロック状態表示手段へ出力するようにした請求項４に記載の加熱調理器。
【請求項６】
各々の制御手段は、互いの状態の送受信が正常に行なわれていない場合には、自組の加熱手段がオフでかつ他組の加熱手段が通電中であることを示す信号を他組の前記制御手段より受信しない場合に、ロック状態切替手段より入力する信号に基づきロック解除状態をロック状態に切り替えることに替えて、常時前記ロック状態切替手段より入力する信号に基づき前記ロック解除状態を前記ロック状態に切り替えることを禁止するようにした請求項４または５に記載の加熱調理器。
【発明の詳細な説明】
【技術分野】
【０００１】
本発明は、一般家庭のキッチンや業務用等に用いられる加熱調理器に関するものである。
【背景技術】
【０００２】
近年、この種の加熱調理器、特に、誘導加熱調理器は安全・清潔・高効率という優れた特徴が認知され、普及されている。
【０００３】
この加熱調理器には、複数の加熱手段を備えて、各々の加熱手段を出力制御する制御手段とは別に、操作表示部で各々の加熱手段の状態をメイン用制御回路にて一括制御するとともに、キーロックキーの入力に基づき、全ての加熱手段に対してキーロックを設定・解除するものがある（例えば、特許文献１参照）。
【特許文献１】特開２００３−２２３９７６号公報
【発明の開示】
【発明が解決しようとする課題】
【０００４】
しかしながら、前記従来の構成では、３つ以上の加熱手段のキーロックを操作表示部でメイン用制御回路にて一括制御し易いといった利点がある反面、各々の加熱手段を出力制御する制御手段とは別にメイン用制御回路で制御される操作表示部が必要なので、加熱手段が２つの場合は、主要な構成手段が２つ→３つと構成手段の増加比率が大きくコスト高な構成となってしまう。
【０００５】
また、２つの加熱手段の各々に対して、キーロックキーを備えて、各々の制御手段が各々のキーロックキーの入力に基づき各々のキーロックを設定・解除する構成とすると、２つの加熱手段ともにキーロックを設定・解除するのに、キーロックキー操作が２回必要になって煩わしいという課題を有していた。
【０００６】
本発明は、前記従来の課題を解決するもので、入力手段・加熱手段・制御手段の組み合わせ２組の他に各々の加熱手段の状態を一括制御する手段を別途設けることなく、１つのキーロックキーによって各制御手段のキーロックを互いに食い違うことなく設定・解除することを目的とする。
【課題を解決するための手段】
【０００７】
前記従来の課題を解決するために、本発明の加熱調理器は、２つの制御手段の間でお互いの状態を送受信し、各々の制御手段は、ロック状態とロック解除状態を有して１つのロック状態切替手段より入力する信号に基づき交互に状態を切り替え、自組の加熱手段がオフで、かつ他組の加熱手段が通電中であることを示す信号を受信しない場合に、１つのロック状態切替手段より入力する信号に基づき前記ロック解除状態を前記ロック状態に切り替えることを可能とするようにしたものである。
【０００８】
これによって、各制御手段は、２つの加熱手段がともにオフである場合にのみ、１つのロック状態切替手段より入力する信号に基づきロック解除状態をロック状態にへ切り替えることができるものとなる。
【発明の効果】
【０００９】
本発明の加熱調理器は、入力手段・加熱手段・制御手段の組み合わせ２組の他に各々の加熱手段の状態を一括制御する手段を別途設けることなく、１つのロック状態切替手段によって各制御手段のロック状態を互いに食い違うことなく設定・解除することができる。
【発明を実施するための最良の形態】
【００１０】
第１の発明は、１つのロック状態切替手段と、加熱手段と入力手段と前記加熱手段の状態を制御する制御手段との組み合わせ２組とを備え、２つの前記制御手段の間で互いの状態を送受信する構成において、各々の前記制御手段は、ロック状態とロック解除状態とを有してロック状態切替手段より入力する信号に基づき交互に状態を切り替え、前記ロック解除状態の場合のみ自組の前記入力手段より入力する信号に基づき前記自組の前記加熱手段の出力を変更し、前記自組の前記加熱手段がオフでかつ他組の前記加熱手段が通電中であることを示す信号を前記他組の制御手段より受信しない場合に、前記ロック状態切替手段より入力する信号に基づき前記ロック解除状態を前記ロック状態に切り替えることを可能とすることにより、各制御手段は、自組の前記加熱手段がオフで、かつ他組の前記加熱手段が通電中であることを示す信号を受信しない、すなわち２つの加熱手段がともにオフである場合にのみ、１つのロック状態切替手段より入力する信号に基づきロック状態とロック解除状態を切り替えるので、各々の加熱手段の状態を一括制御する手段を別途設けることなく、１つのロック状態切替手段によって各制御手段のロック状態を互いに食い違うことなく設定・解除することができる。
【００１１】
また、ゴキブリの侵入や雷サージ・静電気印加による故障等で一方の加熱手段・入力手段・制御手段の組み合わせが動作不良になっても、残りの加熱手段・入力手段・制御手段の組み合わせにおいて、他方の制御手段は、他組の制御手段より他組の前記加熱手段が通電中であることを示す信号を受信しないので、自組の加熱手段がオフの場合に、１つのロック状態切替手段より入力する信号に基づきロック状態とロック解除状態を切り替えることができる。
【００１２】
第２の発明は、特に第１の発明において、各々の制御手段は、互いの状態の送受信が正常に行なわれている場合には、一方の制御手段が、ロック状態切替手段より入力する信号に基づきロック状態とロック解除状態とを交互に切り替え、他方の制御手段は、前記一方の制御手段が切り替えたロック状態またはロック解除状態を示す信号を受信し採用するようにすることにより、送受信が正常に行われている場合は、一方の制御手段のみロック状態を設定・解除し、他方の制御手段は、前記一方の制御手段のロック状態またはロック解除状態に従うので、より確実に各制御手段のロック状態を互いに食い違わないようにすることができる。
【００１３】
第３の発明は、特に第２の発明において、他方の制御手段は、自組の加熱手段を通電中に、一方の制御手段よりロック状態を示す信号を受信すると、前記自組の加熱手段をオフしてロック解除状態からロック状態に移行するようにすることにより、一方の加熱手段・入力手段・制御手段の組み合わせが動作不良になっても、残りの他方の加熱手段・入力手段・制御手段の組み合わせにおいて、制御手段は、自組の加熱手段がオフの場合に、ロック状態切替手段より入力する信号に基づきロック状態とロック解除状態を切り替えることができるとともに、その後、一方の加熱手段・入力手段・制御手段の組み合わせが正常動作するようになると、他方の制御手段は、自組の加熱手段を通電中に一方の制御手段よりロック状態を示す信号を受信しても、自組の加熱手段をオフしてロック解除状態からロック状態に移行し、一方、ロック解除状態の信号を受信するとロック解除状態を維持するので、他方の制御手段のロック状態またはロック解除状態を一方の制御手段のものに合わせることができる。
【００１４】
第４の発明は、特に第１〜３のいずれか１つの発明において、ロック状態であることを表示する１つのロック状態表示手段を備え、各々の制御手段は、ロック状態またはロック解除状態を示す信号を前記ロック状態表示手段へ出力し、前記ロック状態表示手段は、２つの前記制御手段のうち少なくとも１つよりロック状態を示す信号を入力するとロック状態であることを示す表示を行うようにすることにより、加熱手段・入力手段・制御手段の組み合わせ２組ともに正常動作しているときに加えて、故障等で一方の加熱手段・入力手段・制御手段の組み合わせが動作不良になっても、残りの加熱手段・入力手段・制御手段の組み合わせにおいて、制御手段は、ロック状態またはロック解除状態を示す信号を前記ロック状態表示手段へ出力し、前記ロック状態表示手段は、残りの制御手段よりロック状態を示す信号を入力するとロック状態であることを示す表示を行うので、機器を使用する者はロック状態・ロック解除状態の何れであるかを知ることができる。
【００１５】
第５の発明は、特に第４の発明において、各々の制御手段は、互いの状態の送受信が正常に行なわれている場合には、一方の前記制御手段が、ロック状態またはロック解除状態を示す信号をロック状態表示手段へ出力し、他方の前記制御手段は、ロック状態またはロック解除状態である場合にロック解除状態を示す信号のみ前記ロック状態表示手段へ出力するようにすることにより、故障等で一方の加熱手段・入力手段・制御手段の組み合わせが動作不良になっても、ロック状態表示手段にて残りの制御手段がロック状態・ロック解除状態の何れの状態にあるかを表示することができるとともに、加熱手段・入力手段・制御手段の組み合わせ２組ともに正常動作しているときは、一方の制御手段のみロック状態を示す信号をロック状態表示手段へ出力するので、例えば、ロック状態表示手段を発光ダイオード（以後、ＬＥＤと称する）で構成してロック状態を示す信号を入力し点灯するようにした場合、他方の制御手段がロック状態表示手段であるＬＥＤを駆動するための電力を削減することができる。
【００１６】
第６の発明は、特に第４または５の発明において、各々の制御手段は、互いの状態の送受信が正常に行なわれていない場合には、自組の加熱手段がオフでかつ他組の加熱手段が通電中であることを示す信号を他組の前記制御手段より受信しない場合に、ロック状態切替手段より入力する信号に基づきロック解除状態をロック状態に切り替えることに替えて、常時前記ロック状態切替手段より入力する信号に基づき前記ロック解除状態を前記ロック状態に切り替えることを禁止するようにすることにより、通信線の断線等で各制御手段がお互いの状態を送受信できない場合、各制御手段は、ロック状態切替手段より入力する信号に基づくロック解除状態→ロック状態への切り替えを禁止するので、何度ロック状態切替手段を操作しても、ロック状態をロック解除状態に切替えることは可能であるが逆は禁止されているので、２つの制御手段ともにロック解除状態となるので、２つの制御手段のロック状態の設定・解除が食い違った状態を解消できず、ロック状態表示手段が常時ロック状態を示す表示になってしまうのを防ぐことができる。
【００１７】
以下、本発明の実施の形態について、図面を参照しながら説明する。なお、この実施の形態によって本発明が限定されるものではない。
【００１８】
（実施の形態１）
図１は、本発明の実施の形態１における加熱調理器のブロック図、図２は、本発明の実施の形態１における加熱調理器の外観図である。
【００１９】
図１および図２に示すように、本実施の形態１における加熱調理器は、左加熱ユニット２および右加熱ユニット３の２組の加熱ユニット、１つのロック状態切替手段４、１つのロック状態表示手段５を備えており、各加熱ユニットは、電流ヒューズ２ａ・３ａ、加熱手段２ｂ・３ｂ、入力手段２ｅ・３ｅ、制御手段２ｉ・３ｉ、表示手段２ｊ・３ｊ、変調手段２ｋ・３ｋ、復調手段２ｌ・３ｌにて構成されている。
【００２０】
また、加熱手段２ｂ・３ｂは、インバータ回路２ｃ・３ｃと加熱コイル２ｄ・３ｄで構成されており、商用電源１より電流ヒューズ２ａ・３ａを介して電力供給を受け、制御手段２ｉ・３ｉが、インバータ回路２ｃ・３ｃを制御して、加熱コイル２ｄ・３ｄに数十ｋＨｚの高周波電流を印加し、加熱コイル２ｄ・３ｄと磁気結合する加熱手段２ｂ・３ｂに載置された鍋を誘導加熱する。
【００２１】
また、入力手段２ｅ・３ｅは、加熱切／入キー２ｆ・３ｆ、アップキー２ｇ・３ｇ、ダウンキー２ｈ・３ｈ、その他タイマ時間を設定するためのキー等で構成されており、制御手段２ｉ・３ｉが、加熱切／入キー２ｆ・３ｆより入力する信号に基づき加熱手段２ｂ・３ｂの出力有無を切り替え、加熱手段２ｂ・３ｂが出力状態の場合に、アップキー２ｇ・３ｇまたはダウンキー２ｈ・３ｈより入力する信号に基づき加熱手段２ｂ・３ｂの出力量を変更する。
【００２２】
また、表示手段２ｊ・３ｊは、発光ダイオード（ＬＥＤ）等で構成されており、制御手段２ｉ・３ｉが表示手段２ｊ・３ｊを制御して、加熱手段２ｂ・３ｂの出力量や、タイマ残時間等を表示する。
【００２３】
また、制御手段２ｉ・３ｉは、変調手段２ｋ・３ｋおよび復調手段２ｌ・３ｌを介して、お互いの加熱手段の出力有無や出力量等の状態を送受信する。
【００２４】
また、制御手段２ｉ・３ｉは、入力手段２ｅ・３ｅより入力する信号を受付不可とするロック状態と、入力手段２ｅ・３ｅより入力する信号を受付可とするロック解除状態の２通りの状態を備えて、ロック状態切替手段４より入力する信号に基づきロック状態とロック解除状態を交互に切り替え、ロック状態であることを示す点灯信号（＝Ｈ信号）またはロック解除状態であることを示す消灯信号（＝Ｌ信号）をロック状態表示手段５へ出力する。
【００２５】
また、ロック状態表示手段５はＬＥＤ・抵抗・ＮＰＮトランジスタ等で構成されており、ＬＥＤのアノード側と５Ｖ直流電圧を接続し、ＬＥＤのカソード側と抵抗の一端を接続し、抵抗の他端と２石のＮＰＮトランジスタのコレクタ端子を接続し、２石のＮＰＮトランジスタのエミッタ端子を接地する。そして、２石のＮＰＮトランジスタのベース端子に制御手段２ｉ・３ｉの出力をそれぞれ接続し、制御手段２ｉ・３ｉのうち少なくとも１つより点灯信号（＝Ｈ信号）を入力すると、２石のＮＰＮトランジスタのうち少なくとも１つがオンしてＬＥＤは点灯する。
【００２６】
以上のように構成された加熱調理器について、その動作、作用を説明する。まずは、左加熱ユニット２と右加熱ユニット３がともに正常動作し、お互いの状態の送受信が正常に行われている場合について説明する。
【００２７】
この場合は、制御手段２ｉ・３ｉは、ロック状態のときは、加熱手段２ｂ・３ｂを出力オフして、入力手段２ｅ・３ｅより入力する信号を受け付けず、ロック状態表示手段５へロック状態であることを示す点灯信号を出力し、ロック状態表示手段５は、制御手段２ｉ・３ｉより点灯信号を入力してＬＥＤを点灯してロック状態を表示する。
【００２８】
そして、制御手段２ｉ・３ｉは、ロック状態切替手段４より入力する信号に基づき、ロック状態→ロック解除状態に切り替え、ロック状態表示手段５へロック解除状態であることを示す消灯信号を出力し、ロック状態表示手段５は、制御手段２ｉ・３ｉより消灯信号を入力してＬＥＤを消灯してロック解除状態を表示する。
【００２９】
そして、制御手段２ｉ・３ｉは、ロック解除状態のときに加熱切／入キー２ｆ・３ｆより入力する信号に基づき、加熱手段２ｂ・３ｂを出力開始した後、アップキー２ｇ・３ｇまたはダウンキー２ｈ・３ｈより入力する信号に基づき、加熱手段２ｂ・３ｂの出力量を変更するとともに、表示手段２ｊ・３ｊを制御して加熱手段２ｂ・３ｂの出力量等を表示する。なお、このとき、ロック状態切替手段４より信号を入力しても、加熱手段２ｂ・３ｂを出力開始した後に、ロック解除状態→ロック状態に切り替えることはない。
【００３０】
そして、制御手段２ｉ・３ｉは、加熱切／入キー２ｆ・３ｆより入力する信号に基づき、加熱手段２ｂ・３ｂを出力オフに変更するとともに、表示手段を制御して加熱手段２ｂ・３ｂの出力オフを表示する。
【００３１】
なお、この場合でも、制御手段２ｉは、変調手段３ｋおよび復調手段２ｌを介して、制御手段３ｉが加熱手段３ｂを出力していると検知すると、ロック状態切替手段４より信号を入力しても、ロック解除状態→ロック状態に切り替えることはく、制御手段３ｉは、変調手段２ｋおよび復調手段３ｌを介して、制御手段２ｉが加熱手段２ｂを出力していると検知すると、ロック状態切替手段４より信号を入力しても、ロック解除状態→ロック状態に切り替えることはない。
【００３２】
そして、制御手段２ｉ・３ｉがともに加熱手段２ｂ・３ｂを出力オフしている場合は、制御手段２ｉは、加熱手段２ｂを出力オフし、かつ変調手段３ｋおよび復調手段２ｌを介して、制御手段３ｉが加熱手段３ｂを出力オフしていると検知するので、ロック状態切替手段４より入力する信号に基づき、ロック解除状態→ロック状態に切り替え、ロック状態表示手段５へロック状態であることを示す点灯信号を出力し、制御手段３ｉは、加熱手段３ｂを出力オフし、かつ変調手段２ｋおよび復調手段３ｌを介して、制御手段２ｉが加熱手段２ｂを出力オフしていると検知するので、ロック状態切替手段４より入力する信号に基づき、ロック解除状態→ロック状態に切り替え、ロック状態表示手段５へロック状態であることを示す点灯信号を出力する。
【００３３】
そして、ロック状態表示手段５は、制御手段２ｉ・３ｉより点灯信号を入力してＬＥＤを点灯する。
【００３４】
以上の構成により、加熱手段２ｂ・３ｂの状態を一括制御する手段を別途設けることなく、１つのロック状態切替手段４によって制御手段２ｉ・３ｉのロック状態を互いに食い違うことなく設定・解除し、ロック状態表示手段５にてロック状態またはロック解除状態の何れの状態にあるかを表示することができる。
【００３５】
次に、左加熱ユニット２は正常動作するが、右加熱ユニット３の制御手段３ｉが、ゴキブリの侵入や雷サージ・静電気印加による故障等で動作しない場合について説明する。
【００３６】
この場合は、制御手段３ｉが動作しないので、加熱手段３ｂは出力オフとなり、制御手段２ｉは、変調手段３ｋおよび復調手段２ｌを介して、制御手段３ｉの状態を受信することができず、加熱手段３ｂの出力オンを受信することはない。また、ロック状態表示手段５は、制御手段３ｉより点灯信号または消灯信号を入力できず、制御手段２ｉより入力する点灯信号または消灯信号でのみＬＥＤを点灯または消灯する。
【００３７】
そして、制御手段２ｉは、ロック状態のときは、加熱手段２ｂを出力オフして、入力手段２ｅより入力する信号を受け付けず、ロック状態表示手段５へロック状態であることを示す点灯信号を出力し、ロック状態表示手段５は、制御手段２ｉより点灯信号を入力してＬＥＤを点灯する。
【００３８】
そして、制御手段２ｉは、ロック状態切替手段４より入力する信号に基づき、ロック状態→ロック解除状態に切り替え、ロック状態表示手段５へロック解除状態であることを示す消灯信号を出力し、ロック状態表示手段５は、制御手段２ｉより消灯信号を入力してＬＥＤを消灯する。
【００３９】
そして、制御手段２ｉは、加熱手段２ｂを出力オフしている場合は、ロック状態切替手段４より入力する信号に基づき、ロック解除状態→ロック状態に切り替え、ロック状態表示手段５へロック状態であることを示す点灯信号を出力し、ロック状態表示手段５は、制御手段２ｉより点灯信号を入力してＬＥＤを点灯する。
【００４０】
次に、右加熱ユニット３は正常動作するが、左加熱ユニット２の制御手段２ｉが、ゴキブリの侵入や雷サージ・静電気印加による故障等で動作しない場合について説明する。
【００４１】
この場合は、制御手段２ｉが動作しないので、加熱手段２ｂは出力オフとなり、制御手段３ｉは、変調手段２ｋおよび復調手段３ｌを介して、制御手段２ｉの状態を受信することができず、加熱手段２ｂの出力オンを受信することはない。また、ロック状態表示手段５は、制御手段２ｉより点灯信号または消灯信号を入力できず、制御手段３ｉより入力する点灯信号または消灯信号でのみＬＥＤを点灯または消灯する。
【００４２】
そして、制御手段３ｉは、ロック状態のときは、加熱手段３ｂを出力オフして、入力手段３ｅより入力する信号を受け付けず、ロック状態表示手段５へロック状態であることを示す点灯信号を出力し、ロック状態表示手段５は、制御手段３ｉより点灯信号を入力してＬＥＤを点灯する。
【００４３】
そして、制御手段３ｉは、ロック状態切替手段４より入力する信号に基づき、ロック状態→ロック解除状態に切り替え、ロック状態表示手段５へロック解除状態であることを示す消灯信号を出力し、ロック状態表示手段５は、制御手段３ｉより消灯信号を入力してＬＥＤを消灯する。
【００４４】
そして、制御手段３ｉは、加熱手段３ｂを出力オフしている場合は、ロック状態切替手段４より入力する信号に基づき、ロック解除状態→ロック状態に切り替え、ロック状態表示手段５へロック状態であることを示す点灯信号を出力し、ロック状態表示手段５は、制御手段３ｉより点灯信号を入力してＬＥＤを点灯する。
【００４５】
以上の構成により、故障等で左加熱ユニット２または右加熱ユニット３の何れか一方が動作不良になっても、残りの加熱ユニットにおいて、自加熱ユニットの加熱手段がオフの場合に、ロック状態切替手段４より入力する信号に基づきロック状態とロック解除状態を切り替えて、ロック状態表示手段５にてロック状態またはロック解除状態の何れの状態にあるかを表示することができる。
【００４６】
（実施の形態２）
図１は、本発明の実施の形態２における加熱調理器のブロック図、図２は、本発明の実施の形態２における加熱調理器の外観図であり、実施の形態１と同一の構成手段からなる。
【００４７】
実施の形態１と異なる点は、制御手段３ｉは、左加熱ユニット２と右加熱ユニット３との間でお互いの状態の送受信が正常に行われている場合は、ロック状態切替手段４より入力する信号に基づきロック状態を設定・解除し、制御手段２ｉへロック状態またはロック解除状態を示す信号を送信し、ロック状態であることを示す点灯信号またはロック解除状態であることを示す消灯信号をロック状態表示手段５へ出力する。
【００４８】
また、制御手段２ｉは、左加熱ユニット２と右加熱ユニット３との間でお互いの状態の送受信が正常に行われている場合は、制御手段３ｉよりロック状態またはロック解除状態を示す信号を受信して採用し、加熱手段２ｂを出力オン中に制御手段３ｉよりロック状態を示す信号を受信すると、加熱手段２ｂを出力オフしてロック状態に移行し、ロック状態／ロック解除状態に関わらずロック解除状態であることを示す消灯信号をロック状態表示手段５へ出力するようにしたことである。
【００４９】
以上のように構成された加熱調理器について、その動作、作用を説明する。まずは、左加熱ユニット２と右加熱ユニット３がともに正常動作し、お互いの状態の送受信が正常に行われている場合について説明する。
【００５０】
この場合は、制御手段３ｉは、ロック状態のときは、加熱手段３ｂを出力オフして、入力手段３ｅより入力する信号を受け付けず、ロック状態表示手段５へロック状態であることを示す点灯信号を出力し、変調手段３ｋおよび復調手段２ｌを介して、ロック状態を示す信号を制御手段２ｉへ送信し、ロック状態切替手段４より入力する信号に基づき、ロック状態→ロック解除状態に切り替える。
【００５１】
また、制御手段３ｉは、ロック解除状態のときは、加熱切／入キー３ｆより入力する信号に基づき、加熱手段３ｂの出力オン／オフを切り替え、アップキー３ｇまたはダウンキー３ｈより入力する信号に基づき、加熱手段３ｂの出力量を変更し、ロック状態表示手段５へロック解除状態であることを示す消灯信号を出力し、変調手段３ｋおよび復調手段２ｌを介して、ロック解除状態を示す信号を制御手段２ｉへ送信し、加熱手段３ｂが出力オフで、かつ変調手段２ｋおよび復調手段３ｌを介して、制御手段２ｉが加熱手段２ｂを出力オフしていると検知すると、ロック状態切替手段４より入力する信号に基づき、ロック解除状態→ロック状態に切り替える。
【００５２】
また、制御手段２ｉは、変調手段３ｋおよび復調手段２ｌを介して、制御手段３ｉよりロック状態またはロック解除状態を示す信号を受信して採用し、ロック状態／ロック解除状態に関わらずロック状態表示手段５へロック解除状態であることを示す消灯信号を出力する。
【００５３】
そして、制御手段２ｉは、ロック状態を示す信号を受信すると、加熱手段２ｂを出力オン中の場合は加熱手段２ｂを出力オフし、ロック状態に移行して、入力手段３ｅより入力する信号を受け付けない。
【００５４】
また、制御手段２ｉは、ロック解除状態を示す信号を受信すると、加熱切／入キー３ｆより入力する信号に基づき、加熱手段３ｂの出力オン／オフを切り替え、アップキー３ｇまたはダウンキー３ｈより入力する信号に基づき、加熱手段３ｂの出力量を変更する。
【００５５】
また、ロック状態表示手段５は、制御手段２ｉよりロック解除状態であることを示す消灯信号を常時入力するので、制御手段３ｉより入力する信号のみに基づきＬＥＤを点灯または消灯する。
【００５６】
以上の構成により、より確実に制御手段２ｉ・３ｉのロック状態が互いに食い違わないようにすることができるとともに、制御手段３ｉのみロック状態であることを示す点灯信号をロック状態表示手段５へ出力して、制御手段２ｉがロック状態表示手段４のＬＥＤを点灯するための駆動電力を削減することができる。
【００５７】
次に、左加熱ユニット２は正常動作するが、右加熱ユニット３の制御手段３ｉが故障等で動作しない場合について説明する。
【００５８】
この場合は、実施の形態１で述べたように、制御手段２ｉは、ロック状態のときは、ロック状態表示手段５へロック状態であることを示す点灯信号を出力し、ロック状態切替手段４より入力する信号に基づき、ロック状態→ロック解除状態に切り替える。
【００５９】
また、制御手段２ｉは、ロック解除状態のときは、ロック状態表示手段５へロック解除状態であることを示す消灯信号を出力し、加熱手段２ｂを出力オフしているときに、ロック状態切替手段４より入力する信号に基づき、ロック解除状態→ロック状態に切り替える。
【００６０】
また、ロック状態表示手段５は、制御手段２ｉより信号する信号に基づきＬＥＤを点灯または消灯する。
【００６１】
以上の構成により、加熱ユニット３が一時的に動作不良になっても、加熱ユニット２において、制御手段２ｉは、ロック状態切替手段４より入力する信号に基づきロック状態とロック解除状態を切り替え可能になるとともに、その後、加熱ユニット３が正常動作するようになると、制御手段２ｉ・３ｉのロック状態の設定・解除を合わせることができる。
【００６２】
なお、実施の形態２において、お互いの状態の送受信が正常に行われている場合に、制御手段３ｉがロック状態切替手段４より入力する信号に基づきロック状態を設定・解除し、制御手段２ｉは制御手段３ｉより受信する信号に基づきロック状態を設定・解除するように記載しているが、制御手段２ｉと３ｉの役割を入れ替えることもできる。
【００６３】
（実施の形態３）
図１は、本発明の実施の形態３における加熱調理器のブロック図、図２は、本発明の実施の形態３における加熱調理器の外観図であり、実施の形態１と同一の構成手段からなる。
【００６４】
実施の形態１と異なる点は、左加熱ユニット２と右加熱ユニット３との間で、お互いの状態の送受信が正常に行われていない場合は、制御手段２ｉ・３ｉは、ロック状態切替手段４より入力する信号に基づきロック状態→ロック解除状態への切り替えは可能であるが、加熱手段２ｂ・３ｂが出力オフでも、ロック状態切替手段４より入力する信号に基づきロック解除状態→ロック状態への切り替えを禁止するようにしたことである。
【００６５】
以上のように構成された加熱調理器について、その動作、作用を説明する。まずは、左加熱ユニット２と右加熱ユニット３との間で、お互いの状態の送受信が正常に行われている場合について説明する。
【００６６】
この場合は、実施の形態１で述べたように、制御手段２ｉ・３ｉは、ロック状態切替手段４より入力する信号に基づきロック状態→ロック解除状態に切り替えて、ロック状態表示手段５へロック解除状態であることを示す消灯信号を出力し、加熱手段２ｂ・３ｂがともに出力オフのときに、ロック状態切替手段４より入力する信号に基づきロック解除状態→ロック状態に切り替えて、ロック状態表示手段５へロック状態であることを示す点灯信号を出力する。
【００６７】
次に、左加熱ユニット２と右加熱ユニット３との間で、お互いの状態の送受信が正常に行われていない場合について説明する。
【００６８】
この場合は、制御手段２ｉ・３ｉは、ロック状態切替手段４より入力する信号に基づき、ロック状態→ロック解除状態に切り替えて、ロック状態表示手段５へロック解除状態であることを示す消灯信号を出力するが、加熱手段２ｂ・３ｂがともに出力オフでも、ロック状態切替手段４より入力する信号に基づきロック解除状態→ロック状態に切り替えず、ロック状態表示手段５へロック解除状態であることを示す消灯信号を出力する。
【００６９】
以上の構成により、左加熱ユニット２と右加熱ユニット３との一時的な通信異常で制御手段２ｉ・３ｉがお互いの状態を送受信できない場合、制御手段２ｉ・３ｉは、ロック状態切替手段４より入力する信号に基づくロック解除状態→ロック状態への切り替えを禁止するので、ロック状態をロック解除状態に切り替えることは可能であるが逆は禁止されているので、２つの制御手段ともにロック解除状態となり、万が一、更に一方の加熱ユニットが動作不能になった状態で他方の加熱ユニットがロック状態を設定・解除し、その後に一方の加熱ユニットが正常動作するようになって、制御手段２ｉ・３ｉのロック状態の設定・解除が食い違ってしまった場合、何度ロック状態切替手段４を操作してもロック状態の設定・解除の食い違い状態を解消できずにロック状態表示手段５が常時点灯してしまうことが生じるのを防ぐことができる。
【００７０】
なお、実施の形態１〜３において、加熱手段２ｂ・３ｂは、鍋を誘導加熱する手段として記載されているが、ラジェントヒータ、シーズヒータ、ミラクロンヒータ等のその他の加熱する手段とすることもできる。
【００７１】
また、制御手段２ｉ・３ｉ、変調手段２ｋ・３ｋ、復調手段２ｌ・３ｌの一部または全部の構成手段を、マイクロコンピュータで実現することもできる。
【産業上の利用可能性】
【００７２】
以上のように、本発明にかかる加熱調理器は、入力手段・加熱手段・制御手段の組み合わせ２組の他に各々の加熱手段の状態を一括制御する手段を別途設けることなく、１つのロック状態切替手段によって各制御手段のロック状態を互いに食い違うことなく設定・解除することとなるので、誘導加熱する加熱手段、ラジェントヒータ、シーズヒータ、ミラクロンヒータを組み合わせた２口加熱調理器等への用途にも適用できる。
【図面の簡単な説明】
【００７３】
【図１】本発明の実施の形態１〜３における加熱調理器のブロック図
【図２】本発明の実施の形態１〜３における加熱調理器の外観図
【符号の説明】
【００７４】
２  左加熱ユニット
２ｂ、３ｂ  加熱手段
２ｅ、３ｅ  入力手段
２ｉ、３ｉ  制御手段
２ｋ、３ｋ  変調手段
２ｌ、３ｌ  復調手段
３  右加熱ユニット
４  ロック状態切替手段
５  ロック状態表示手段
【図１】
2008186705.tif 000003
【図２】
2008186705.tif 000004